(57)【特許請求の範囲】
【請求項１】
タオルが掛止されるタオル掛けバーと、このタオル掛けバーの一端を支持する支持部と、壁面に固定されるレール部とこのレール部にスライド可能に係合し前記支持部が取り付け固定されるスライド部とから構成されるスライド機構とを備えたスライド式のタオル掛けであって、
支持部は、スライド部に取り付け固定される取付板と、この取付板の両側端からそれぞれ前方に起立する一対の側板とから横断面コ字状に形成されているとともに、前記側板の一方には支持孔が形成され、他方の側板には固定ねじ挿通用孔が形成されており、前記支持孔にタオル掛けバーの一端が挿入されてタオル掛けバーが支持孔に嵌装され、支持孔に挿入されたタオル掛けバーの先端部は、他方の側板に当接して側板外方から前記固定ねじ挿通用孔を通じて螺入した固定ねじにより固定されて、タオル掛けバーが支持部により片持ち式に支持されていることを特徴とする請求項１に記載のタオル掛け。
【請求項２】
固定ねじ挿通用孔は、タオル掛けバーが挿通しない大きさで、かつ固定ねじが挿通できる大きさであることを特徴とする請求項１に記載のタオル掛け。
【発明の詳細な説明】
【技術分野】
【０００１】
本発明は、タオル掛けに関するものである。
【背景技術】
【０００２】
従来、扉や洗面化粧台などの壁面に取り付けられるタオル掛けは、タオルが掛止される長筒状のタオル掛けバーが両端側で取付具で固定されて両持ち式に支持されており（特許文献１，２参照）、両持ち式に支持することでタオル掛けバーを支持するのに必要な強度を確保するようにしている。
【特許文献１】特開２００７−５４０９５号公報
【特許文献２】特開２００１−２９９６３１号公報
【発明の開示】
【発明が解決しようとする課題】
【０００３】
しかしながら、従来の両持ち式にタオル掛けバーを支持したタオル掛けは、タオル掛けバーの両端側の取付具で仕切られたタオル掛けバーと壁面との隙間に上方からタオルを通してタオルを掛止するものであるが、この隙間に上方からタオルを通しづらく、タオルを掛けにくい場合がある。
【０００４】
これに対して、タオル掛けバーの一端側のみを取付具で支持固定し、タオル掛けバーを片持ち式に支持するようにすれば、タオル掛けバーの開放された他端側より、タオル掛けバーと壁面との隙間に横から水平にタオルを通して掛止することができるので、この隙間にタオルを通し易くなり、タオルを掛け易くすることができる。
【０００５】
しかしながら、このようにタオル掛けバーを片持ち式に支持した場合、タオル掛けバーを支持する強度が低下し、タオル掛けバーに対して長手方向と垂直に強い力が作用するとタオル掛けバーが取付具から外れてしまう可能性があるという問題があった。
【０００６】
本発明は、以上の通りの事情に鑑みてなされたものであり、タオルを掛け易く、しかも高い強度でタオル掛けバーを支持固定することができるスライド式のタオル掛けを提供することを課題としている。
【課題を解決するための手段】
【０００７】
本発明のタオル掛けは、上記の課題を解決するために、以下のことを特徴とする。
【０００８】
第１には、タオルが掛止されるタオル掛けバーと、このタオル掛けバーの一端を支持する支持部と、壁面に固定されるレール部とこのレール部にスライド可能に係合し前記支持部が取り付け固定されるスライド部とから構成されるスライド機構とを備えたスライド式のタオル掛けであって、支持部は、スライド部に取り付け固定される取付板と、この取付板の両側端からそれぞれ前方に起立する一対の側板とから横断面コ字状に形成されているとともに、前記側板の一方には支持孔が形成され、他方の側板には固定ねじ挿通用孔が形成されており、前記支持孔にタオル掛けバーの一端が挿入されてタオル掛けバーが支持孔に嵌装され、支持孔に挿入されたタオル掛けバーの先端部は、他方の側板に当接して側板外方から前記固定ねじ挿通用孔を通じて螺入した固定ねじにより固定されて、タオル掛けバーが支持部により片持ち式に支持されていることを特徴とする。
【０００９】
第２には、第１の発明において、固定ねじ挿通用孔は、タオル掛けバーが挿通しない大きさで、かつ固定ねじが挿通できる大きさであることを特徴とする。
【発明の効果】
【００１０】
第１の発明によれば、タオル掛けバーを片持ち式に支持するようにしたので、タオル掛けバーと壁面との隙間にタオルを横から通すことで、タオルを掛け易くすることができる。
【００１１】
また、支持部を横断面コ字状として一対の側板でタオル掛けバーの一端が支持固定されるため、タオル掛けバーを片持ち式に支持しても、タオル掛けバーに付加された力を、支持部の一対の側板の二箇所に分散させることができ、高い強度でタオル掛けバーを支持固定することができる。
【００１２】
さらに、本発明は壁面に固定されるレール部とこのレール部にスライド可能に係合するスライド部とから構成されるスライド機構を備えている。従来、スライド式の両持ち式タオル掛けは、タオル掛けバーの両端の支持部のそれぞれがスライド部などを介してレール部にスライド可能に係合されていた。この場合、両持ち式タオル掛けにおけるタオル掛けバーの両端の支持部のスライド移動はレール部内に制限されるため、これに伴うタオル掛けバーのスライド移動もレール部内に制限される。これに対し、タオル掛けバーの一端を片持ち式に支持部で支持固定している本発明のタオル掛けは、タオル掛けバーの他端が自由端となっている。このため、片持ち式のタオル掛けにおけるタオル掛けバーの支持部のスライド移動はレール部全長にわたり、これに伴うタオル掛けバーのスライド移動距離は、両持ち式タオル掛けに比べてタオル掛けバーの長さの分だけ長くなる利点がある。また、スライド式の両持ち式タオル掛けと同程度のタオル掛けバーのスライド移動距離を確保したい場合には、片持ち式のタオル掛けにおけるレール部材をタオル掛けバーの長さの分だけ短くすることができ、タオル掛けの構造をコンパクトにできることに加え、部品コストを低減できる利点がある。
【００１３】
第２の発明によれば、一方の側板の支持孔にタオル掛けバーの一端が挿入されてタオル掛けバーが支持孔に嵌装されると共に、支持孔に挿入されたタオル掛けバーの先端部が他方の側板に当接して固定ねじにより固定されていることにより、上記の効果に加え、より一層高い強度でタオル掛けバーを支持固定することができる。
【発明を実施するための最良の形態】
【００１４】
以下に、図面に基づいて本発明の実施形態について説明する。
【００１５】
図１は本発明の一実施形態におけるタオル掛けの横断面図であり、図２はタオル掛けの斜視図であり、図３は支持部の斜視図である。図４はレール部の縦断面図であり、図５（ａ）はスライド部の正面図、（ｂ）は平面図である。図６（ａ）はスライド部に支持部が取り付け固定された状態を示す平面図、（ｂ）は正面図である。図７はタオル掛けの使用状態を示す斜視図である。
【００１６】
本実施形態のタオル掛けは、扉や洗面化粧台などの壁面に取り付けて使用するものであり、図１に示すように、２本の金属製、合成樹脂製などの管体からなるタオル掛けバー１，２が所定の間隔をもって前後に並設され、各タオル掛けバー１，２の一端が金属製の支持部３に支持固定されている。タオル掛けバー１，２の他端は自由端となっており、これによって、後述する図７に示すように、タオル９を自由端側から通すことができ、タオル９をタオル掛けバー１，２に掛け易くすることができる。このタオル掛けは、壁面Ｗに固定されるレール部４とこのレール部４にスライド可能に係合したスライド部５とから構成されるスライド機構を備えており、このスライド部５に前記支持部３が取り付け固定されることにより、タオル掛けバー１，２のレール部４の長手方向へのスライド移動が可能になる。
【００１７】
また、図２に示すように、支持部３の全体とタオル掛けバー１，２の一端及びスライド部５は共に合成樹脂製の外装カバー６で覆われており、各部品の保護と外観性の向上が図られている。また、タオル掛けバー１，２の自由端側の先端及びレール部４の両端には、それぞれ合成樹脂製のキャップ７が取り付けられ、利用者に対する安全性が考慮されている。
【００１８】
本実施形態のタオル掛けにおける支持部３は、剛性金属板を折り曲げて作製され、図１〜３に示すように、スライド部５に取り付け固定される取付板３１の両側端からそれぞれ前方に略垂直に起立し一対の対向する側板３２，３３が形成され、横断面コ字状の形状を有している。一対の側板３２，３３の一方の側板３２には所定の間隔をもって長手方向の前後に支持孔３２ａ、３２ｂが２つ形成され、他方の側板３３にはこれら支持孔３２ａ，３２ｂに対向する位置にそれぞれ固定ねじ挿通用孔３３ａ，３３ｂが２つ形成されている。一方の側板３２に形成された支持孔３２ａ、３２ｂは、タオル掛けバー１，２の一端を挿入してタオル掛けバー１，２を嵌装させるもので、その形状及び大きさはタオル掛けバー１，２のそれに略一致させるようにする。他方の側板３３に形成された固定ねじ挿通用孔３３ａ，３３ｂは、一方の側板３２に形成された支持孔３２ａ、３２ｂに挿入されたタオル掛けバー１，２の先端部１ａ，２ａをこの他方の側板３２，３３を介して外方から固定ねじ８で固定するために設けられたものである。固定ねじ挿通用孔３３ａ，３３ｂの大きさは、タオル掛けバー１，２が挿通しないように支持孔３２ａ、３２ｂよりも若干小さくし、かつ固定ねじ８が挿通できる大きさに設定される。
【００１９】
このような構成の支持部３を用いてタオル掛けバー１，２を支持固定する際には、まず、後側（レール部側）のタオル掛けバー１の一端を一対の側板３２，３３の一方の後側の支持孔３２ａに挿入し先端部１ａを他方の側板３３に当接する。次いで、ボタンボルトなどの固定ねじ８を後側の固定ねじ挿通用孔３３ａに外方から差し込み、当接したタオル掛けバー１の先端部１ａに螺入して、他方の側板３３を介してタオル掛けバー１の一端を固定する。前側（正面側）のタオル掛けバー２の支持固定も同様であるので、説明は省略する。
【００２０】
次に、本実施形態のタオル掛けのスライド機構について説明する。
【００２１】
このスライド機構は、上述したように、壁面Ｗに固定されるレール部４とこのレール部４にスライド可能に係合したスライド部５とから構成されている。レール部４は、図４に示すように、背面板４１と、その上下端からそれぞれ前方に突出された上ローラーガイド部４２と下ローラーガイド部４３とから縦断面コ字状に形成されている。上ローラーガイド部４２と下ローラーガイド部４３はそれぞれ、前端が内方向に折れ曲がって鉤状に形成されており、これによって、後述するスライド部５の上ローラー５２及び下ローラー５３がレール部４から外れないように係合され、レール部４の長手方向にスライド部５が案内される。
【００２２】
レール部４の背面板４１には所定の間隔をおいて長手方向に壁面固定用の固定孔が複数形成されており、背面板４１を壁面Ｗに当接してこれら固定孔に固定ねじを差し込んで壁面Ｗに螺入することでレール部４が壁面Ｗに固定される。
【００２３】
スライド部５は、図５に示すように、ローラー固定板５１とその前面の両側に上ローラー５２が形成されており、前面の中央には下ローラー５３が形成されている。上ローラー５２はレール部４の上ローラーガイド部４２にスライド可能に係合され、下ローラー５３はレール部４の下ローラーガイド部４３にスライド可能に係合されるようになっている。このスライド部５は、上ローラー５２及び下ローラー５３をレール部４の両端のいずれか一端から嵌め込むようにしてレール部４に取り付けられる。スライド部５をレール部４に取り付けた後は、上述したキャップ７がレール部４の両端に取り付けられる。このキャップ７はスライド部５のストッパーとしても機能する。
【００２４】
スライド部５に支持部３が取り付け固定され、さらに支持部３にタオル掛けバー１，２が支持固定されることにより、タオル掛けバー１，２のレール部４の長手方向へのスライド移動が可能になる。スライド部５への支持部３の固定は、例えば、図６に示すように、支持部３の取付板３１をスライド部５のローラー固定板５１の背面に当接し、ローラー固定板５１の前面に形成されている上ローラー５２及び下ローラー５３と干渉しないように、支持部３側から複数の固定ねじ８を螺入することで実現される。
【００２５】
このようにして、図７に示すように、タオル掛けのレール部４が壁面Ｗに取り付けられ、２本のタオル掛けバー１，２は壁面Ｗに対して略平行に離間し、各タオル掛けバー１，２が水平に並設されて支持部（図７では図示なし）により片持ち式に支持される。これによって、タオル掛けバー１，２と壁面Ｗとの隙間にタオル９を横から通すことで、タオル９を掛け易くすることができる。
【００２６】
以上に説明した本実施形態のタオル掛けによれば、支持部を横断面コ字状として一対の側板でタオル掛けバーの一端が支持固定されるため、タオル掛けバーを片持ち式に支持しても、タオル掛けバーに付加された力を、支持部の一対の側板の二箇所に分散させることができ、高い強度でタオル掛けバーを支持固定することができる。
【００２７】
また、本実施形態のタオル掛けは、壁面に固定されるレール部とこのレール部にスライド可能に係合するスライド部とから構成されるスライド機構を備えている。従来、スライド式の両持ち式タオル掛けは、タオル掛けバーの両端の支持部のそれぞれがスライド部などを介してレール部にスライド可能に係合されているが、この場合、両持ち式タオル掛けにおけるタオル掛けバーの両端の支持部のスライド移動はレール部内に制限されるため、これに伴うタオル掛けバーのスライド移動もレール部内に制限される。これに対し、タオル掛けバーの一端を片持ち式に支持部で支持固定している本実施形態のタオル掛けは、タオル掛けバーの他端が自由端となっているため、片持ち式のタオル掛けにおけるタオル掛けバーの支持部のスライド移動はレール部全長にわたり、これに伴うタオル掛けバーのスライド移動距離は、両持ち式タオル掛けに比べてタオル掛けバーの長さの分だけ長くなる利点がある。また、スライド式の両持ち式タオル掛けと同程度のタオル掛けバーのスライド移動距離を確保したい場合には、片持ち式のタオル掛けにおけるレール部材をタオル掛けバーの長さの分だけ短くすることができ、タオル掛けの構造をコンパクトにできることに加え、部品コストを低減できる利点がある。
【００２８】
以上、実施形態に基づき本発明を説明したが、本発明は上記の実施形態に何ら限定されるものではなく、その要旨を逸脱しない範囲内において各種の変更が可能である。例えば、上記の実施形態では支持部の一対の側板で２本のタオル掛けバーが支持固定されているが、１本のタオル掛けバーが支持固定されるものでもよいし、３本以上のタオル掛けバーがそれぞれが支持固定されるようにしてもよい。
【図面の簡単な説明】
【００２９】
【図１】本発明の一実施形態に係るタオル掛けの横断面図である。
【図２】同実施形態に係るタオル掛けの斜視図である。
【図３】同実施形態に係るタオル掛けの支持部の斜視図である。
【図４】同実施形態に係るタオル掛けのレール部の縦断面図である。
【図５】（ａ）同実施形態に係るタオル掛けのスライド部の正面図、（ｂ）は平面図である。
【図６】（ａ）同実施形態に係るタオル掛けのスライド部支持部が取り付け固定された状態を示す平面図、（ｂ）は正面図である。
【図７】同実施形態に係るタオル掛けの使用状態を示す斜視図である。
【符号の説明】
【００３０】
１，２  タオル掛けバー
３  支持部
３１  取付板
３２，３３  側板
３２ａ，３２ｂ  支持孔
４  レール部
５  スライド部
８  固定ねじ
９  タオル
Ｗ  壁面
【図１】
0004568747.tif 000002
【図２】
0004568747.tif 000003
【図３】
0004568747.tif 000004
【図４】
0004568747.tif 000005
【図５】
0004568747.tif 000006
【図６】
0004568747.tif 000007
【図７】
0004568747.tif 000008